(57)【要約】【課題】制御ユニット交換時に容易に制御ユニットの出力状態を維持することができるデジタル出力装置を提供することが可能となる。【解決手段】外部負荷９を接続するための端子台ユニット２０と、端子台ユニット２０と切り離し可能に接続され端子台ユニット２０の出力のＯＮ／ＯＦＦの制御を行う制御ユニット２１とを備えたデジタル出力装置において、端子台ユニット２０に、端子台ユニット２０の出力のＯＮ／ＯＦＦを行う擬似出力回路５と、擬似出力回路５のＯＮ／ＯＦＦの切り替えを行う切り替え回路３と、切り替え回路３を端子台ユニット２０の外部から動作させるスイッチ回路４とを備える。【選択図】        図１
2004192420.tif 000002
【特許請求の範囲】
【請求項１】
外部負荷を接続するための端子台ユニットと、上記端子台ユニットと切り離し可能に接続され上記端子台ユニットの出力のＯＮ／ＯＦＦの制御を行う制御ユニットとを備えたデジタル出力装置において、上記端子台ユニットに、上記端子台ユニットの出力のＯＮ／ＯＦＦを行う擬似出力回路と、上記擬似出力回路のＯＮ／ＯＦＦの切り替えを行う切り替え回路と、上記切り替え回路を上記端子台ユニットの外部から動作させるスイッチ回路とを備えたことを特徴とするデジタル出力装置。
【請求項２】
上記切り替え回路は、上記スイッチ回路がＯＮされると上記擬似出力回路をＯＮすることを特徴とする請求項1に記載のデジタル出力装置。
【請求項３】
制御ユニットの出力状態を検知するための出力検知回路を備え、上記出力検知回路は上記切り替え回路に上記制御ユニットがＯＮ／ＯＦＦ何れの制御状態であるかの検知信号を送信し、上記切り替え回路は上記スイッチ回路がＯＮされると上記擬似出力回路の切り替えを上記検知信号に応じて行うことを特徴とする請求項２に記載のデジタル出力装置。
【請求項４】
上記スイッチ回路は遠隔からのスイッチング信号を受信する受信部を備えたことを特徴とする請求項１ないし請求項３のいずれかに記載のデジタル出力装置。
【請求項５】
上記切り替え回路の運転状態の表示を行う表示手段を備えたことを特徴とする請求項１ないし請求項４のいずれかに記載のデジタル出力装置。
【発明の詳細な説明】
【０００１】
【発明の属する技術分野】
この発明は、各種工場、鉄鋼プラントまたは発電所などの制御システムに利用されるデジタル出力装置に関するものである。
【０００２】
【従来の技術】
まずデジタル出力装置とは、出力の制御を行う制御ユニットと外部負荷への接続を行うための端子台ユニットを合わせたものを指す。従来のデジタル出力装置は、出力回路にＯＮ信号またはＯＦＦ信号を指令する出力制御回路を備え、このＯＮ信号またはＯＦＦ信号により、出力回路がＯＮ／ＯＦＦの動作を行う。これにより、各端子台に接続される外部負荷が励磁／非励磁の状態となる。
【０００３】
このように構成されたデジタル出力装置において、制御ユニットが故障した場合には出力状態を維持したまま制御ユニットの交換が必要となる。単純に制御ユニットを取り外した場合には出力回路がオープン状態（出力回路がＯＦＦの場合と同様の状態）となり、外部負荷が非励磁の状態となる。
【０００４】
そこで、ＯＮ状態で故障した際には励磁状態を維持したまま制御ユニットの交換を行う必要があるために、外部に外部擬似接点を設けそれを端子台ユニットそれぞれに接続し、外部擬似接点をショートした後に交換を実施する（例えば、特許文献１参照）。
【０００５】
【特許文献１】
特開昭５３−１３６１７９号公報（特許請求の範囲）
【０００６】
【発明が解決しようとする課題】
従来のデジタル出力装置は上記のように構成されており、制御ユニットを交換する場合、外部擬似接点を接続、ショートを行うといった余分な作業が発生する問題点があった。また、出力回路の状態を確認しないで同様の作業を行うと、ＯＦＦ状態からＯＮ状態に変化させてしまうため、出力回路の状態を十分確認する作業が必要になるという問題点があった。またこの確認作業は、制御ユニットに制御信号を発信しているコントロールセンタなど遠隔地に存在するアプリケーションなどを見て判断する必要があり、確認すること自体が困難であったりまたは煩雑になるという問題点があった。
【０００７】
この発明は上記のような課題を解決するためになされたものであり、デジタル出力装置の交換の際に発生する諸作業を軽減することを目的とする。
【０００８】
【課題を解決するための手段】
この発明に係るデジタル出力装置は、外部負荷を接続するための端子台ユニットと、端子台ユニットと切り離し可能に接続され端子台ユニットの出力のＯＮ／ＯＦＦの制御を行う制御ユニットとを備えたデジタル出力装置において、端子台ユニットに、端子台ユニットの出力のＯＮ／ＯＦＦを行う擬似出力回路と、擬似出力回路のＯＮ／ＯＦＦの切り替えを行う切り替え回路と、切り替え回路を端子台ユニットの外部から動作させるスイッチ回路とを備えたものである。
【０００９】
【発明の実施の形態】
実施の形態１．
図１はこの発明の実施の形態１のデジタル出力装置の構成を示す回路図である。図において、デジタル出力装置は外部の負荷９、制御電源１０に接続するための端子台ユニット２０と、端子台ユニット２０の出力のＯＮ／ＯＦＦの制御を行う制御ユニット２１とにて成る。そして、端子台ユニット２０には端子台（コネクタ）ａ、ｂと、切り替え回路３、スイッチ回路４、擬似出力回路５を備えている。また、制御ユニット２１にはユニット出力回路１、出力制御回路２を備えている。
【００１０】
擬似出力回路５は端子台ユニット２０のＯＮ／ＯＦＦを切り替えることができる接点である。切り替え回路３はこの擬似出力回路５のＯＮ／ＯＦＦの切り替え指示を行う。スイッチ回路４はこの切り替え回路３の動作指示を端子台ユニット２０の外部から行うことができるものである。
【００１１】
ユニット出力回路１は通常の運転時に端子台ユニット２０のＯＮ／ＯＦＦを切り替えることができる接点である。出力制御回路２はこのユニット出力回路１のＯＮ／ＯＦＦの切り替え指示を行う。尚、ユニット出力回路１及び擬似出力回路５は直流でも交流でもいずれの場合も対応するものである。
【００１２】
次いで上記のように構成された実施の形態１のデジタル出力装置の動作について説明する。まず、通常の場合は、ユニット出力回路１に出力制御回路２がＯＮ信号またはＯＦＦ信号を指令する。そして、このＯＮ信号またはＯＦＦ信号により、ユニット出力回路１がＯＮ／ＯＦＦの動作を行う。これにより、各端子台ａ、ｂに接続される外部の負荷９が励磁／非励磁の状態となる。
【００１３】
次に、制御ユニット２１に故障などが発生し、交換する必要が生じた場合、制御ユニット２１の出力状態を維持したまま交換することが必要となる。そして、作業員が制御ユニット２１の制御状態を確認してＯＮの状態ならば、スイッチ回路４をＯＮする。また、制御ユニット２がＯＦＦの状態ならば、スイッチ回路４をＯＦＦのままとする。
【００１４】
次に、スイッチ回路４がＯＮすると切り替え回路３は擬似出力回路５にＯＮ信号を出力する。これにより、従来のように外部擬似接点の接続作業を行わずに制御ユニット２１の交換が可能となる。
【００１５】
上記実施の形態１ではスイッチ回路４を直接作業員がＯＮ／ＯＦＦする例を示したが、これに限られることはなく、例えば図２に示すように、スイッチ回路４に遠隔からのスイッチング信号を受信する受信部７を備え、遠隔から無線または有線にてスイッチング信号を送信するようにしてもよい。このようにすれば、遠隔地からでも指示を容易に行うことができる。
【００１６】
また、図３に示すように、切り替え回路３の擬似出力の運転状態の表示することができる例えばＬＥＤ、ランプなどにて成る表示手段８を備えるようにすれば、切り替え回路３の運転状態が視覚で判断することができる。よって、制御ユニット２１交換後に切り替え回路３が動作し続けるような誤操作をなくすことができる。
【００１７】
また、図４に示すように、受信部７および表示手段８の両方を備えるようにしてもよいことは言うまでもない。
【００１８】
実施の形態２．
図５はこの発明の実施の形態２のデジタル出力回路の構成を示すブロック図である。図において、上記実施の形態１と同様の部分は同一符号を付して説明を省略する。この発明においては、制御ユニット２１の出力制御回路２の出力状態を検知することができる出力検知回路６を加えたものである。そして、出力検知回路６は切り替え回路３に制御ユニット２１がＯＮ／ＯＦＦ何れの制御状態であるかの検知信号を送信し、切り替え回路３はスイッチ回路４がＯＮされると擬似出力回路５の切り替えを検知信号に応じて行う。
【００１９】
上記のように構成された実施の形態２のデジタル出力回路の動作について説明する。まず、通常時は上記実施の形態１と同様に動作する。そして、制御ユニット２１を交換する際に、作業員がスイッチ回路４をＯＮする。すると、出力検知回路６が出力制御回路２より出力状態を検知する。そして、この検知信号を受けて切り替え回路３は擬似出力回路５をＯＮ／ＯＦＦに変化させる、すなわち、擬似出力回路５をユニット出力回路１の状態と同様にする。
【００２０】
上記のように構成された実施の形態２のデジタル出力装置は、制御ユニット２１の交換を行う際に現在の出力状態を確認する作業が不要となり、交換時における作業が軽減される。尚、図２において出力検知回路６を制御ユニット２１側に形成する例を示しているが、端子台ユニット２０側に設置してもよいことは言うまでもない。
【００２１】
上記実施の形態２ではスイッチ回路４を直接作業員がＯＮ／ＯＦＦする例を示したが、これに限られることはなく、例えば図６に示すように、スイッチ回路４に遠隔からのスイッチング信号を受信する受信部７を備え、遠隔から無線または有線にてスイッチング信号を送信するようにしてもよい。このようにすれば、遠隔地からでも指示を容易に行うことができる。
【００２２】
また、図７に示すように、切り替え回路３の擬似出力の運転状態の表示することができる例えばＬＥＤ、ランプなどにて成る表示手段８を備えるようにすれば、切り替え回路３の運転状態が視覚で判断することができる。よって、制御ユニット２１交換後に切り替え回路３が動作し続けるような誤操作をなくすことができる。
【００２３】
また、図８に示すように、受信部７および表示手段８の両方を備えるようにしてもよいことは言うまでもない。
【００２４】
【発明の効果】
以上のようにこの発明によれば、外部負荷を接続するための端子台ユニットと、端子台ユニットと切り離し可能に接続され端子台ユニットの出力のＯＮ／ＯＦＦの制御を行う制御ユニットとを備えたデジタル出力装置において、端子台ユニットに、端子台ユニットの出力のＯＮ／ＯＦＦを行う擬似出力回路と、擬似出力回路のＯＮ／ＯＦＦの切り替えを行う切り替え回路と、切り替え回路を端子台ユニットの外部から動作させるスイッチ回路とを備えたので、制御ユニット交換時に容易に制御ユニットの出力状態を維持することができるデジタル出力装置を提供することが可能となる。
【図面の簡単な説明】
【図１】この発明の実施の形態１によるデジタル出力回路の構成を示す回路図である。
【図２】この発明の実施の形態１による他のデジタル出力回路の構成を示す回路図である。
【図３】この発明の実施の形態１による他のデジタル出力回路の構成を示す回路図である。
【図４】この発明の実施の形態１による他のデジタル出力回路の構成を示す回路図である。
【図５】この発明の実施の形態２によるデジタル出力回路の構成を示す回路図である。
【図６】この発明の実施の形態２による他のデジタル出力回路の構成を示す回路図である。
【図７】この発明の実施の形態２による他のデジタル出力回路の構成を示す回路図である。
【図８】この発明の実施の形態２による他のデジタル出力回路の構成を示す回路図である。
【符号の説明】
３  切り替え回路、４  スイッチ回路、５  擬似出力回路、
６  出力検知回路、７  受信部、８  表示手段、９  負荷、
２０  端子台ユニット、２１  制御ユニット、ａ，ｂ  端子台。
【図１】
2004192420.tif 000003
【図２】
2004192420.tif 000004
【図３】
2004192420.tif 000005
【図４】
2004192420.tif 000006
【図５】
2004192420.tif 000007
【図６】
2004192420.tif 000008
【図７】
2004192420.tif 000009
【図８】
2004192420.tif 000010